(57)【要約】【課題】浄水処理を中止せずに濾過材の洗浄が可能であり、しかも、洗浄を行っても生物濾過に有効な微生物が完全に取り除かれないようにする。【解決手段】タンク１内の複数の濾過処理室１１〜１５へ被処理水を順次導き、濾過材２１〜２５を通過させて浄水する。次に、第２〜第５の濾過処理室１２〜１５へ被処理水を順次導き、濾過材２２〜２５を通過させて浄水するとともに、第１の濾過処理室１１に洗浄水を導き、濾過材２１を通過させて洗浄する。以下同様に、前のステップで最初に被処理水が導かれた濾過処理室を除く残りの濾過処理室へ被処理水を順次導き、濾過材を通過させて浄水するとともに、除かれた濾過処理室に洗浄水を導き、濾過材を通過させて洗浄することを繰り返し実行する。【選択図】  図３
2005013893.tif 000002
【特許請求の範囲】
【請求項１】
濾過材がそれぞれ充填されたタンク内の複数の濾過処理室へ被処理水を順次導いて浄水するステップと、前のステップで最初に被処理水が導かれた濾過処理室を除く残りの濾過処理室へ被処理水を順次導いて浄水し、除かれた濾過処理室には洗浄水を導いて濾過材を洗浄するステップとを実行し、以下、前のステップで最初に被処理水が導かれた濾過処理室を除く残りの濾過処理室へ被処理水を順次導いて浄水し、除かれた濾過処理室には洗浄水を導いて濾過材を洗浄するステップを繰り返し実行することを特徴とする浄水方法。
【請求項２】
被処理水が導入される濾過処理室では、被処理水を濾過材の上から下へ通過させて浄水し、洗浄水が導入される濾過処理室では、洗浄水を濾過材の下から上へ通過させて濾過材を洗浄することを特徴とする請求項１に記載された浄水方法。
【請求項３】
洗浄水が導入される濾過処理室では、濾過材の下方へ空気を導入することを特徴とする請求項１または２に記載された浄水方法。
【請求項４】
タンク内に、濾過材をそれぞれ充填した複数の濾過処理室が区画形成され、各濾過処理室には、前記濾過材の上方に被処理水の導入口と洗浄水および被処理水の導出口が、濾過材の下方に被処理水の導出口と洗浄水の導入口が、それぞれ設けられるとともに、各濾過処理室の被処理水の導出口には、次に被処理水が導かれる濾過処理室の被処理水の導入口を連通させており、各濾過処理室の被処理水の導入口には第１の弁により開閉される第１の導入管が、洗浄水の導入口には第２の弁により開閉される第２の導入管が、洗浄水および被処理水の導出口には第３の弁により開閉される導出管が、それぞれ接続されて成る浄水装置。
【請求項５】
第１、第２、第３の各弁として、制御装置によって開閉が電気的に制御される電磁弁が用いられている請求項４に記載された浄水装置。
【請求項６】
各濾過処理室の濾過材の下方に空気の導入口が設けられ、各濾過処理室の空気の導入口には第４の弁により開閉される空気の導入管がそれぞれ接続されている請求項４に記載されて成る浄水装置。
【請求項７】
第４の弁として、制御装置によって開閉が電気的に制御される電磁弁が用いられている請求項６に記載された浄水装置。
【請求項８】
前記濾過材は、粒状をなす多数個の濾過部材をもって構成されている請求項４に記載された浄水装置。
【請求項９】
前記濾過部材は、活性炭の粉末が混入された吸着能を有する筒状の樹脂成形体であって外周面に複数の翼片が放射状に突設されたものである請求項８に記載された浄水装置。
【発明の詳細な説明】
【０００１】
【発明の属する技術分野】
この発明は、湖沼、池などの水源より水をタンク内に取り込んで濾過材により浄化する浄水方法と、その方法の実施に用いられる浄水装置とに関する。特にこの発明は、濾過材による浄水に濾過材の洗浄を組み合わせて実施するための浄水方法および浄水装置に関する。
【０００２】
【従来の技術】
従来、この種の浄水装置として、濾過材が充填されたタンクの内部へ被処理水を導入し、その導入した水を濾過材の上から下へ通過させて浄化した後、タンクの外部へ導出させるものがある（例えば、特許文献参照）。
【０００３】
【特許文献】特開平９−３２７６９５号公報
【０００４】
この浄水装置では、濾過材を洗浄するのに、水源の水を洗浄水としてタンクの内部に導入し、その導入した水を濾過材の下から上へ通過させて濾過材の洗浄を行っている。
【０００５】
【発明が解決しようとする課題】
しかし、上記した浄水装置では、濾過材を洗浄する間、浄水処理を必ず中止する必要があり、浄水処理に支障をきたす場合がある。また、濾過材の洗浄によって、異物のみならず、水の浄化に有益な微生物も取り除かれてしまう。この微生物は有機物を無機物に分解する働き（これを「生物濾過」という。）があるので、微生物がいなくなると、浄水処理を再開しても、微生物が繁殖するまでの間、生物濾過は殆ど機能せず、浄水能力が低下する。
【０００６】
この発明は、上記した問題に着目してなされたもので、洗浄を行っても生物濾過に有効な微生物が完全に取り除かれるおそれがなく、また、浄水処理を中止しなくても濾過材の洗浄を可能とした浄水方法と、その方法の実施に用いられる浄水装置とを提供することを目的とする。
【０００７】
【課題を解決するための手段】
この発明による浄水方法は、濾過材がそれぞれ充填されたタンク内の複数の濾過処理室へ被処理水を順次導いて浄水するステップと、前のステップで最初に被処理水が導かれた濾過処理室を除く残りの濾過処理室へ被処理水を順次導いて浄水し、除かれた濾過処理室には洗浄水を導いて濾過材を洗浄するステップとを実行し、以下、前のステップで最初に被処理水が導かれた濾過処理室を除く残りの濾過処理室へ被処理水を順次導いて浄水し、除かれた濾過処理室には洗浄水を導いて濾過材を洗浄するステップを繰り返し実行することを特徴としている。
【０００８】
この発明の好ましい一実施態様においては、被処理水が導入される濾過処理室では、被処理水を濾過材の上から下へ通過させて浄水し、洗浄水が導入される濾過処理室では、洗浄水を濾過材の下から上へ通過させて濾過材を洗浄するものである。この場合、濾過材の洗浄処理は浄水処理と並行して行うこともでき、また、浄水処理の前後に行うこともできる。
【０００９】
さらに好ましい一実施態様においては、洗浄水が導入される濾過処理室では、濾過材の下方へ空気を導入するものである。この実施態様によると、導入された空気は洗浄水の中で気泡となって濾過材に作用するので、濾過材が気泡によって撹拌され、また気泡に異物などが吸着されて上昇する。
【００１０】
この発明による浄水装置は、タンク内に、濾過材をそれぞれ充填した複数の濾過処理室が区画形成され、各濾過処理室には、前記濾過材の上方に被処理水の導入口と洗浄水および被処理水の導出口が、濾過材の下方に被処理水の導出口と洗浄水の導入口が、それぞれ設けられるとともに、各濾過処理室の被処理水の導出口には、次に被処理水が導かれる濾過処理室の被処理水の導入口を連通させている。各濾過処理室の被処理水の導入口には第１の弁により開閉される第１の導入管が、洗浄水の導入口には第２の弁により開閉される第２の導入管が、洗浄水および被処理水の導出口には第３の弁により開閉される導出管が、それぞれ接続されている。
【００１１】
第１、第２、第３の各弁として、手操作によって開閉する弁を用いてもよいが、好ましくは、制御装置によって開閉が電気的に制御される電磁弁を用いる。なお、制御装置は、専用のハードウェア回路によって実現することもでき、また、プログラムされたコンピュータによっても実現することもできる。
【００１２】
好ましい一実施態様においては、各濾過処理室の濾過材の下方に空気の導入口が設けられ、各濾過処理室の空気の導入口には第４の弁により開閉される空気の導入管がそれぞれ接続されている。
【００１３】
第４の弁として、手操作によって開閉する弁を用いてもよいが、好ましくは、制御装置によって開閉が電気的に制御される電磁弁を用いる。
【００１４】
前記濾過材は、種々のものを用いることができるもので、例えば、粒状をなす多数個の濾過部材をもって構成する。この種の濾過部材として、活性炭の粉末が混入された吸着能を有する筒状の樹脂成形体であって外周面に複数の翼片が放射状に突設されたものがある。
この実施態様の濾過部材では、筒内に水が通り、活性炭がもつ吸着能により異物や悪臭が確実に吸着されて濾過される。また、濾過部材の外周面に複数の翼片が放射状に突設されているので、水に含まれる異物は翼片に引っ掛かって取り除かれる。
【００１５】
【作用】
被処理水を複数の濾過処理室へ順次導いて濾過材を通過させると、被処理水に含まれる異物が濾過材で除去されるとともに、濾過材に生息する微生物が有機物を無機物に分解して生物濾過を行う。これにより被処理水は浄化される。この浄水処理と並行して所定の濾過処理室の濾過材を洗浄すると、洗浄のために浄水処理を中止する必要がない。浄水処理では最初に被処理水が導かれる濾過処理室の濾過材が最も汚れるので、前のステップで最初に被処理水が導かれた濾過処理室を浄水経路より外して洗浄する。この洗浄によって異物のみならず生物濾過に寄与する微生物も取り除かれるが、残りの濾過処理室の濾過材には微生物が生息しているので生物濾過の機能が損なわれることがない。
【００１６】
【発明の実施の形態】
図１および図２はこの発明の一実施例である浄水装置の外観を、また、図３は浄水装置のタンク１の内部構成を、それぞれ示している。
前記タンク１は、その内部が複数個（この実施例では５個）の濾過処理室１１〜１５に区画形成されている。各濾過処理室１１〜１５には濾過材２１〜２５がそれぞれ装填されている。湖沼、池などの水源Ｗよりポンプ３で吸い上げた水はタンク１０の内部へ導入される。タンク１内に導入された水は水通路１０を通って導入口１１ａ〜１５ａより各濾過処理室１１〜１５へ順次導かれるようになっている。各濾過処理室１１〜１５では水を濾過材２１〜２５の上から下へそれぞれ通過させて浄化する。浄化された水はタンク１の外部へ導出されて水源Ｗへ戻される。
【００１７】
各水通路１０はその通路沿いに磁化処理具１００が配置されている。この磁化処理具１００は、複数の永久磁石を水通路１０の外周に配備して異極を対向させることにより、水通路１０内に磁界を作用させるものである。水通路１０を通過した水は活性化される。
【００１８】
各水通路１０には後述する被処理水の導入管５１〜５５が接続されている。各濾過処理室１１〜１５の濾過材２１〜２５の下方には被処理水の導出口１１ｅ〜１５ｅが設けられている。第１〜第４の濾過処理室１１〜１４の各導出口１１ｅ〜１４ｅは次の濾過処理室１２〜１５へ水を導くための水通路１０に連通させてある。各導出口１１ｅ〜１４ｅにはそれぞれ逆止弁１９が設けてあり、各水通路１０から各濾過処理室１１〜１４への水の逆流を阻止している。第５の濾過処理室１５の導出口１５ｅには第１の濾過処理室１１への水通路１０へ水を導くための連通管５６が接続されている。
なお、図１において、３０は水源Ｗより水を吸い上げるための吸上管、３１は浄化された水や洗浄後の水を水源Ｗへ戻すための戻し管である。前記吸上管３０には、吸い上げた水に含まれるゴミを除去するためのフィルタが装着される。
【００１９】
この実施例では、浄水装置の作動当初は５個の濾過処理室１１〜１５によって一定期間、浄水処理が行われる。その後、各濾過処理室１１〜１５の濾過材２１〜２５は汚れのひどいものから順に洗浄される。最も汚れがひどいのは、最初に水が導かれた第１の濾過処理室１１の濾過材２１であるから、水源Ｗよりポンプ３で吸い上げられた水は第２〜第５の各濾過処理室１２〜１５へ順次導いて浄水する一方で、第１の濾過処理室１１に導いて濾過材２１の洗浄を行う。なお、この実施例では、洗浄処理は浄水処理と並行して行っているが、これに限らず、浄水処理を一旦中断して行うこともできる。
【００２０】
第１の濾過処理室１１では濾過材２１の下から上へ水を通過させることにより濾過材２１の洗浄が行われる。洗浄時、エアーコンプレッサー４から送り込まれた空気が第１の濾過処理室１１の濾過材２１の下方へ導かれ、洗浄水の中で気泡となって濾過材２１に作用する。第１の濾過処理室１１の洗浄と第２〜第５の濾過処理室１２〜１５による浄水とを一定期間、行った後、次に洗浄の対象を第２の濾過処理室１２へ移し、同様の浄水および洗浄処理を実行する。
なお、以下の説明において、水源Ｗより吸い上げられた水のうち、浄化される水を「被処理水」、洗浄に用いられる水を「洗浄水」という。また、浄化された水を「浄化済水」、洗浄処理後の水を「洗浄済水」という場合がある。
【００２１】
各濾過処理室１１〜１５の内部には、図４に示すような、多数の通水孔１６を有する通水板１７，１８が上下に配置されており、この２枚の通水板１７，１８間に多数個の粒状をなす濾過部材が濾過材２１〜２５として充填されている。各濾過部材は、気体または溶液中の溶質などに対して強い吸着能を示す活性炭を含有する合成樹脂成形体であり、無数の微細孔を有する活性炭の粉末が混入されたポリエチレンなどの熱可塑性プラスチックを押出成形した後、これを切断することにより製作されている。
【００２２】
図５は、この実施例で用いられている濾過部材２を示している。この濾過部材２は、中空孔２６を有する六角筒状に形成され、外周面の角部位置には、全長にわたる複数の翼片２７が放射状に一体に突設されている。各翼片２７は、両側へ張り出す鉤状部２８を有している。
【００２３】
図示例の浄水装置は、上記したタンク１と、タンク１内に被処理水を導入するための第１の水導入機構５と、タンク１内に洗浄水を導入するための第２の水導入機構６と、タンク１より浄化済水や洗浄済水を導出するための水導出機構７と、タンク１内に空気を導入するための空気導入機構８とを含むものである。タンク１の前面には制御盤９０が配備されている。
【００２４】
前記制御盤９０は、その表面に複数個のスイッチ９１やディスプレイ９２が配備され、内部に図６に示すような構成の制御装置９が組み込まれている。
図示例の制御装置９は、マイクロコンピュータによって構成されるもので、制御、演算の主体であるＣＰＵ９３、プログラムが格納されたＲＯＭ９４、データの読み書きに用いられるＲＡＭ９５などを含んでいる。
【００２５】
マイクロコンピュータのバス９６には、ポンプ３、エアーコンプレッサー４、第１の水導入機構５に含まれる複数個の電磁弁Ａ１〜Ａ５、第２の水導入機構６に含まれる複数個の電磁弁Ｂ１〜Ｂ５、水導出機構７に含まれる複数個の電磁弁Ｃ１〜Ｃ６、および空気導入機構８に含まれる複数個の電磁弁Ｄ１〜Ｄ５などの出力各部が接続されている。ＣＰＵ９３はＲＯＭ９４に格納されたプログラムに従って出力各部の動作を一連に制御する。
【００２６】
第１の水導入機構５は、吸上管３０に分岐管５０を介して５本の被処理水の導入管５１〜５５を連通させるともに、各導入管５１〜５５に電磁弁Ａ１〜Ａ５をそれぞれ介装したものである。各導入管５１〜５５は各濾過処理室１１〜１５に対応して設けれられた水通路１０に接続されている。各電磁弁Ａ１〜Ａ５を開くと、各導入管５１〜５５を介して被処理水が各濾過処理室１１〜１５の水通路１０に導入される。
５個の電磁弁Ａ１〜Ａ５のうち、第１の電磁弁Ａ１は三方弁であり、この電磁弁Ａ１に第５の濾過処理室１５に連通する連通管５６の一端が接続されている。第１の電磁弁Ａ１の切換え動作によりポートＰ２に対してポートＰ１，Ｐ３のいずれかが導通する。
【００２７】
前記の第２の水導入機構６は、吸上管３０に分岐管５０，６０を介して５本の洗浄水の導入管６１〜６５を連通させるとともに、各導入管６１〜６５に電磁弁Ｂ１〜Ｂ５をそれぞれ介装したものである。各導入管６１〜６５は各濾過処理室１１〜１５の濾過材２１〜２５の下方に設けられた洗浄水の導入口１１ｂ〜１５ｂに接続されている。各電磁弁Ｂ１〜Ｂ５を開くと、各導入管６１〜６５を介して洗浄水が各濾過処理室１１〜１５の導入口１１ｂ〜１５ｂより濾過材２１〜２５の下方に導入される。
【００２８】
前記水導出機構７は、戻し管３１に分岐管７０を介して６本の導出管７１〜７６を連通させるともに、各導出管７１〜７６に電磁弁Ｃ１〜Ｃ６をそれぞれ介装したものである。６本の導出管７１〜７６のうち、５本の導出管７１〜７５は各濾過処理室１１〜１５の濾過材２１〜２５の上方に設けられた浄化済水および洗浄済水の導出口１１ｃ〜１５ｃに接続されている。各電磁弁Ｃ１〜Ｃ５を開くと、浄化済水や洗浄済水が各濾過処理室１１〜１５の導出口１１ｃ〜１５ｃから各導出管７１〜７５へ導出される。
残り１本の導出管７６は第５の濾過処理室１５の被処理水の導出口１５ｅに接続されており、電磁弁Ｃ６を開くと、浄化済水が導出口１５ｅから導出管７６へ導出されるようになっている。
【００２９】
前記空気導入機構８は、エアーコンプレッサー４に接続された送気管４０に分岐管８０を介して５本の空気の導入管８１〜８５を連通させるとともに、各導入管８１〜８５に電磁弁Ｄ１〜Ｄ５をそれぞれ介装したものである。各導入管８１〜８５は各濾過処理室１１〜１５の濾過材２１〜２５の下方に設けられた空気の導入口１１ｄ〜１５ｄに接続されている。各電磁弁Ｄ１〜Ｄ５を開くと、各導入管８１〜８５を介して空気が各濾過処理室１１〜１５の導入口１１ｄ〜１５ｄより濾過材２１〜２５の下方に導入される。
【００３０】
なお、図示していないが、吸上管３０、分岐管５０，６０，７０、および戻し管３１に、管内を通過する水に対して磁化処理を施すための磁化処理具を配備してもよい。
【００３１】
図７は、前記制御装置９による浄水装置の制御の流れを示している。同図中、「ＳＴ」は「ＳＴＥＰ」（ステップ）の略である。
同図の「スタート」において、浄水装置の電源が投入されると、制御装置９のＣＰＵ９３は、ＳＴ１で全ての電磁弁をリセットする。つぎにＣＰＵ９３は、ＳＴ２において、ポンプ３を駆動して水源Ｗより水を吸い上げ、第１の水導入機構５の第１の電磁弁Ａ１についてはポートＰ１，Ｐ２間を導通させて第１の濾過処理室１１への水通路１０へ被処理水を導入する。また、ＣＰＵ９３は、水導出機構７の第６の電磁弁Ｃ６を開き、浄化済水を第５の濾過処理室１５から導出管７６へ導出するようにした後、ＣＰＵ９３の内部タイマの計時をスタートさせる（ＳＴ３）。
【００３２】
かくして、タンク１内に導入された被処理水は第１〜第５の各濾過処理室１１〜１５へ順次導かれ、各濾過室１１〜１５において、濾過材２１〜２５の上から下へ通過する。各濾過処理室１１〜１５では、被処理水に含まれる異物が濾過材２１〜２５で除去されるとともに、濾過材２１〜２５に生息する微生物が有機物を無機物に分解して生物濾過を行う。これにより被処理水は浄化される。浄化済水は第５の濾過処理室１５の導出口１５ｅから導出管７６へ導出され、さらに導出管７６から戻し管３１へ至って水源Ｗに戻される。
【００３３】
上記した第１〜第５の濾過処理室１１〜１５による浄水処理が一定期間実施されると、前記タイマがタイプアップしてＳＴ４の判定が「ＹＥＳ」となり、ＳＴ５以降の洗浄処理を含む浄水処理へ移行する。次のＳＴ５では、第２〜第５の各濾過処理室１２〜１５において浄水処理が実行されるとともに、第１の濾過処理室１１において洗浄処理が実行されるもので、そのためにＣＰＵ９３は、第１の水導入機構５の第１の電磁弁Ａ１についてはポートＰ３，Ｐ２間を導通させて浄化済水を第５の濾過処理室１５から第１の濾過処理室１１への水通路１０へ導くようにして、水導出機構７の第６の電磁弁Ｃ６を閉じる。
【００３４】
さらにＣＰＵ９３は、第１の水導入機構５の第２の電磁弁Ａ２を開いて第２の濾過処理室１２への水通路１０へ被処理水を導入する。また、第２の水導入機構５の第１の電磁弁Ｂ１を開いて第１の濾過処理室１１へ洗浄水を導入し、さらに、水導出機構７の第１の電磁弁Ｃ１を開いて浄化済水と洗浄済水とを第１の濾過処理室１１から導出管７１へ導出し得るようにする。さらにまた、空気の導入機構８の第１の電磁弁Ｄ１を開くとともに、エアーコンプレッサー４を駆動して送気管４０から導入管８１へ空気を送り込むようにした後、ＣＰＵ９３の内部タイマをスタートさせる（ＳＴ６）。
【００３５】
第２〜第５の濾過処理室１２〜１５による浄水処理に並行して第１の濾過処理室１１の濾過材２１が洗浄されるので、洗浄のために浄水処理を中止する必要がない。この洗浄によって第１の濾過処理室１１では異物のみならず生物濾過に寄与する微生物も取り除かれるが、第２〜第５の濾過処理室１２〜１５の濾過材２２〜２５には微生物が生息しているので、生物濾過の機能は損なわれない。
なお、この実施例では、第２〜第５の濾過処理室１２〜１５による浄化処理と第１の濾過処理室１１の洗浄処理とを同時に並行して行っているが、第１の濾過処理室１１の洗浄処理を行った後に第２〜第５の濾過処理室１２〜１５による浄化処理を行うこともでき、第２〜第５濾過処理室１２〜１５による浄化処理を行った後に第１の濾過処理室１１の洗浄処理を行うこともできる。
【００３６】
第２〜第５の濾過処理室１２〜１５による浄水処理と第１の濾過処理室１１の洗浄処理とが一定期間実施されると、前記タイマがタイプアップしてＳＴ７の判定が「ＹＥＳ」となり、ＳＴ８へ進んで、第３〜第５の各濾過処理室１３〜１５と第１の濾過処理室１１とにおいて浄水処理が実行されるとともに、第２の濾過処理室１２において洗浄処理が実行されるもので、そのためにＣＰＵ９３は、第１の水導入機構５の第２の電磁弁Ａ２を閉じかつ第３の電磁弁Ａ３を開いて第３の濾過処理室１３への水通路１０へ被処理水を導入する。また、第２の水導入機構５の第１の電磁弁Ｂ１を閉じかつ第２の電磁弁Ｂ２を開いて第２の濾過処理室１２へ洗浄水を導入し、さらに、水導出機構７の第１の電磁弁Ｃ１を閉じかつ第２の電磁弁Ｃ２を開いて浄化済水と洗浄済水とを第２の濾過処理室１２から導出管７２へ導出し得るようにする。さらにまた、空気の導入機構８の第１の電磁弁Ｄ１を閉じかつ第２の電磁弁Ｄ２を開いて送気管４０から導入管８２へ空気を送り込むようにした後、ＣＰＵ９３の内部タイマの計時をスタートさせる（ＳＴ９）。
【００３７】
第３〜第５の濾過処理室１３〜１５と第１の濾過処理室１１による浄水処理と第２の濾過処理室１２の洗浄処理とが一定期間実施されると、前記タイマがタイプアップしてＳＴ１０の判定が「ＹＥＳ」となり、ＳＴ１１へ進んで、第４、第５の各濾過処理室１４，１５および第１、第２の各濾過処理室１１，１２において浄水処理が実行されるとともに、第３の濾過処理室１３において洗浄処理が実行されるもので、そのためにＣＰＵ９３は、第１の水導入機構５の第３の電磁弁Ａ３を閉じかつ第４の電磁弁Ａ４を開いて第４の濾過処理室１４への水通路１０へ被処理水を導入する。また、第２の水導入機構５の第２の電磁弁Ｂ２を閉じかつ第３の電磁弁Ｂ３を開いて第３の濾過処理室１３へ洗浄水を導入し、さらに、水導出機構７の第２の電磁弁Ｃ２を閉じかつ第３の電磁弁Ｃ３を開いて浄化済水と洗浄済水とを第３の濾過処理室１３から導出管７３へ導出し得るようにする。さらにまた、空気の導入機構８の第２の電磁弁Ｄ２を閉じかつ第３の電磁弁Ｄ３を開いて送気管４０から導入管８３へ空気を送り込むようにした後、ＣＰＵ９３の内部タイマの計時をスタートさせる（ＳＴ１２）。
【００３８】
第４、第５の濾過処理室１４，１５と第１、第２の濾過処理室１１，１２による浄水処理と第３の濾過処理室１３の洗浄処理とが一定期間実施されると、前記タイマがタイプアップしてＳＴ１３の判定が「ＹＥＳ」となり、ＳＴ１４へ進んで、第５の濾過処理室１５および第１〜第３の各濾過処理室１１〜１３において浄水処理が実行されるとともに、第４の濾過処理室１４において洗浄処理が実行されるもので、そのためにＣＰＵ９３は、第１の水導入機構５の第４の電磁弁Ａ４を閉じかつ第５の電磁弁Ａ５を開いて第５の濾過処理室１５への水通路１０へ被処理水を導入する。また、第２の水導入機構５の第３の電磁弁Ｂ３を閉じかつ第４の電磁弁Ｂ４を開いて第４の濾過処理室１４へ洗浄水を導入し、さらに、水導出機構７の第３の電磁弁Ｃ３を閉じかつ第４の電磁弁Ｃ４を開いて浄化済水と洗浄済水とを第４の濾過処理室１４から導出管７４へ導出し得るようにする。さらにまた、空気の導入機構８の第３の電磁弁Ｄ３を閉じかつ第４の電磁弁Ｄ４を開いて送気管４０から導入管８４へ空気を送り込むようにした後、ＣＰＵ９３の内部タイマの計時をスタートさせる（ＳＴ１５）。
【００３９】
第５の濾過処理室１５と第１〜第３の濾過処理室１１〜１３による浄水処理と第４の濾過処理室１４の洗浄処理とが一定期間実施されると、前記タイマがタイプアップしてＳＴ１６の判定が「ＹＥＳ」となり、ＳＴ１７へ進んで、第１〜第４の各濾過処理室１１〜１４において浄水処理が実行されるとともに、第５の濾過処理室１５において洗浄処理が実行されるもので、そのためにＣＰＵ９３は、第１の水導入機構５の第５の電磁弁Ａ５を閉じかつ第１の電磁弁Ａ１についてポートＰ１，Ｐ２間を導通させて第１の濾過処理室１１への水通路１０へ被処理水を導入させる。また、第２の水導入機構６の第４の電磁弁Ｂ４を閉じかつ第５の電磁弁Ｂ５を開いて第５の濾過処理室１５へ洗浄水を導入し、さらに、水導出機構７の第４の電磁弁Ｃ４を閉じかつ第５の電磁弁Ｃ５を開いて浄化済水と洗浄済水とを第５の濾過処理室１５から導出管７５へ導出し得るようにする。さらにまた、空気の導入機構８の第４の電磁弁Ｄ４を閉じかつ第５の電磁弁Ｄ５を開いて送気管４０から導入管８５へ空気を送り込むようにした後、ＣＰＵ９３の内部タイマの計時をスタートさせる（ＳＴ１８）。
【００４０】
第１〜第４の濾過処理室１１〜１４による浄水処理と第５の濾過処理室１５の洗浄処理とが一定期間実施されると、前記タイマがタイプアップしてＳＴ１９の判定が「ＹＥＳ」となり、ＳＴ２０へ進んで、第２〜第５の各濾過処理室１２〜１５において浄水処理が実行されるとともに、第１の濾過処理室１１において洗浄処理が実行されるもので、そのためにＣＰＵ９３は、第１の水導入機構５の第１の電磁弁Ａ１についてポートＰ２，Ｐ３間を導通させて浄化済水を第５の濾過処理室１５から第１の濾過処理室１１への水通路１０へ導くようにする。さらにＣＰＵ９３は、第１の水導入機構５の第２の電磁弁Ａ２を開いて第２の濾過処理室１１への水通路１０へ被処理水を導入する。また、第２の水導入機構５の第５の電磁弁Ｂ５を閉じかつ第１の電磁弁Ｂ１を開いて第１の濾過処理室１１へ洗浄水を導入し、さらに、水導出機構７の第５の電磁弁Ｃ５を閉じかつ第１の電磁弁Ｃ１を開いて浄化済水と洗浄済水とを第１の濾過処理室１１から導出管７１へ導出し得るようにする。さらにまた、空気の導入機構８の第５の電磁弁Ｄ５を閉じかつ第１の電磁弁Ｄ１を開いて導入管８１へ空気を送り込むようにした後、ＳＴ６に戻って、ＣＰＵ９３の内部タイマの計時をスタートさせる。
【００４１】
なお、上記した実施例では、濾過処理室の洗浄処理は浄水処理が実行されている期間、並行して実施させているが、洗浄処理を浄水処理より短い期間だけ実施する場合には、例えば洗浄処理と浄水処理とを同時に開始して洗浄処理だけを先に終了させたり、洗浄処理を浄水処理より遅れて開始させたりしてもよい。
また、上記した実施例では、洗浄処理は浄水処理と同時に並行して行っているが、浄水処理を一旦中断して行ってもよい。
さらに、上記した実施例では、１個の濾過処理室を洗浄し、残りの濾過処理室で浄水処理を行っているが、２個の濾過処理室を洗浄し、残りの濾過処理室で浄水処理を行うようにすることもできる。
【００４２】
【発明の効果】
この発明によると、洗浄を行っても生物濾過に有効な微生物が完全に取り除かれるおそれがなく、生物濾過の機能が損なわれることがない。また、浄水処理を中止せずに濾過材を洗浄することも可能であり、浄水処理に支障をきたすおそれはない。
【図面の簡単な説明】
【図１】この発明の一実施例である浄水装置の外観を示す正面図である。
【図２】図１の浄水装置の外観を示す斜視図である。
【図３】タンクの内部構成と外部配管とを示す説明図である。
【図４】通水板の構成を示す平面図である。
【図５】濾過部材の外観を示す斜視図である。
【図６】制御装置の構成を示すブロック図である。
【図７】制御装置による制御の流れを示すフローチャートである。
【符号の説明】
１    タンク
５１〜５５  被処理水の導入管
６１〜６５  洗浄水の導入管
７１〜７５  導出管
８１〜８５  空気の導入管
１１〜１５  濾過処理室
１１ａ〜１５ａ  被処理水の導入口
１１ｂ〜１５ｂ  洗浄水の導入口
１１ｃ〜１５ｃ  洗浄水および被処理水の導出口
１１ｄ〜１５ｄ  空気の導入口
１１ｅ〜１５ｅ  被処理水の導出口
２１〜２５  濾過材
９    制御装置
【図１】
2005013893.tif 000003
【図２】
2005013893.tif 000004
【図３】
2005013893.tif 000005
【図４】
2005013893.tif 000006
【図５】
2005013893.tif 000007
【図６】
2005013893.tif 000008
【図７】
2005013893.tif 000009